(57)【要約】【課題】テスタ本体を安定した箇所へ設置できない状況で、測定物の電圧、電流、電気抵抗等の測定を行なうことが必要な場合、一人では測定できないため助けが必要となり、一人がテスタ本体を持ち、もう一人が両方のプローブを測定物へ当てて、測定物の電圧、電流、電気抵抗等の測定を行なうこと必要となり、極めて不便である。本発明は、テスタ本体を安定設置して測定する場所がない場合でも、測定物の電圧、電流、電気抵抗等の測定を行なうことが容易に行なえるようにするための技術を提供するものである。【解決手段】テストリードを用いて測定物の電圧、電流、電気抵抗等を測定するテスタにおいて、テスタ本体の非磁性材で構成された裏壁の内側には、裏壁を通過する磁力によってテスタ本体を磁性体の他物に吸着保持する磁石を収納したこと。【選択図】図３
2008064611.tif 000002
【特許請求の範囲】
【請求項１】
測定物の電圧、電流、電気抵抗等の測定対称を切り替えるスイッチ操作部、表示部、電気回路部を箱体に収めたテスタ本体から延びたテストリードを用いて測定物の電圧、電流、電気抵抗等を測定するテスタにおいて、前記テスタ本体の非磁性材で構成された裏壁の内側には、前記裏壁を通過する磁力によって前記テスタ本体を磁性体の他物に吸着保持する磁石を収納したことを特徴とするテスタ。
【発明の詳細な説明】
【技術分野】
【０００１】
本発明は、測定物の電圧、電流、電気抵抗等を測定するテスタに関する。
【背景技術】
【０００２】
測定物の電圧、電流、電気抵抗等の測定対称を切り替える測定切替スイッチ部及びデジタル表示面を具備するテスタ本体に対して、プローブケーブルを介して測定プローブを接続すると共に、表示駆動ケーブルを介してデジタル表示器を接続したテスタがある。（特許文献１参照）。
【特許文献１】特開平０５−２４９１４２号公報
【発明の開示】
【発明が解決しようとする課題】
【０００３】
このようなテスタを用いて測定物の電圧、電流、電気抵抗等を測定する場合、テスタ本体を安定した箇所へ略水平に設置した状態で、一方の手で測定プローブの一方を持ち、他方の手で測定プローブの他方を持って、この両方のプローブを測定物へ当てて、測定物の電圧、電流、電気抵抗等の測定を行なうのが一般的である。
【０００４】
このため、テスタ本体を安定した箇所へ設置して測定することが必要であり、そのような設置場所があれば問題ないが、時としてそのような箇所場所がない状況で、測定物の電圧、電流、電気抵抗等の測定を行なうことが必要な場合がある。その場合は、一人では測定できないため、助けが必要となり、一人がテスタ本体を持ち、もう一人が両方のプローブを測定物へ当てて、測定物の電圧、電流、電気抵抗等の測定を行なうこと必要となり、極めて不便である。
【０００５】
本発明は、テスタ本体を略水平に設置して測定する場所がない場合でも、測定物の電圧、電流、電気抵抗等の測定を行なうことが容易に行なえるようにするための技術を提供するものである。
【課題を解決するための手段】
【０００６】
本発明は、測定物の電圧、電流、電気抵抗等の測定対称を切り替えるスイッチ操作部、表示部、電気回路部を箱体に収めたテスタ本体から延びたテストリードを用いて測定物の電圧、電流、電気抵抗等を測定するテスタにおいて、前記テスタ本体の非磁性材で構成された裏壁の内側には、前記裏壁を通過する磁力によって前記テスタ本体を磁性体の他物に吸着保持する磁石を収納したことを特徴とする。
【発明の効果】
【０００７】
本発明のテスタは、テスタ本体の裏壁は非磁性体で構成されていて、その裏壁の内側に裏壁を通過する磁力によってテスタ本体を磁性体の他物に吸着保持するように作用する磁石を収納したものである。これによって、テスタ本体を安定に設置して測定する場所がない場合でも、付近の磁性体の部分へテスタ本体を磁石によって吸着させれば、両方の手でもってテストリードを操作できるため、容易に測定ができることとなる。
【０００８】
また、本発明では、磁石はテスタ本体の裏壁の外面に存在しないため、テスタの使用中や保管中等において磁石の磁力によって吸着される鉄粉等は、磁石に付着せず裏壁の外面に付着するため、磁石に付着した場合に比して、鉄粉等を拭き取りによる除去がし易くなり、掃除が容易となる。
【発明を実施するための最良の形態】
【０００９】
本発明は、測定物の電圧、電流、電気抵抗等の測定対称を切り替えるスイッチ操作部、表示部、電気回路部を箱体に収めたテスタ本体から延びたテストリードを用いて測定物の電圧、電流、電気抵抗等を測定するテスタにおいて、前記テスタ本体の非磁性材で構成された裏壁の内側には、前記裏壁を通過する磁力によって前記テスタ本体を磁性体の他物に吸着保持する磁石を収納した構成であり、本発明の実施例を以下に記載する。
【実施例１】
【００１０】
次に、本発明の実施の形態について説明する。図１は本発明に係るテスタの正面図、図２は本発明に係るテスタの裏面図、図３は本発明に係るテスタの右側面図。図４は本発明に係るテストリードを引き出した状態のテスタの下側から見た斜視図である。
【００１１】
本発明の実施形態を図に基づき説明する。本発明に係るテスタ１は、電気機器や電気部品等の測定物の電圧、電流、電気抵抗等を測定するものであり、測定対称を切り替えるスイッチ操作部３、表示部４、電気回路部５を箱体６に収めたテスタ本体２と、テスタ本体２から延びたテストリード７等を備えている。表示部４には電圧、電流、電気抵抗等の値を示す弧状配置の目盛部４Ｂと、その下側内部に収納した計器部（図示せず）の作動によって左右に弧状に振れる指針４Ａが設けられている。このため、測定に応じてこの計器部が作動して指針４Ａが振れて、そのときの測定値を目盛部４Ｂで指し示す。この場合、周囲の磁界による誤作動がないようにするために、この計器部と指針４Ａは非磁性材で構成されている。
【００１２】
テストリード７は、テスタ本体２内の電気回路部５に接続された２本のリード線８Ａ、８Ｂと、このリード線８Ａ、８Ｂの先にそれぞれ接続された測定用プローブ９Ａ、９Ｂとからなる。リード線８Ａ、８Ｂは、電気回路部５に対して、取り外し自在に差し込まれる接続端子方式でもよいが、実施例のものは電気回路部５に対して半田付けやネジ止め等によって固定的に接続された状態であり、図４に示すように、テスタ本体２の下側側面から引き出された状態である。
【００１３】
テスタ本体２は、表壁（又は表板）２Ａと裏壁（又は裏板）２Ｂと中間周囲壁２Ｃとで構成され、正面視において表壁２Ａと裏壁２Ｂは、四隅の部分が曲面（Ｒ）をなす略矩形をなす縦長形状の同じ平面積を有しているが、中間周囲壁２Ｃは表壁２Ａと裏壁２Ｂの周縁よりも段差１２をもって内側に入った位置に配置されており、テストリード７、即ち、２本のリード線８Ａ、８Ｂとその先のプローブ９Ａ、９Ｂが、表壁２Ａと裏壁２Ｂの周縁より外側に出ない状態で、中間周囲壁２Ｃに巻きつけて収納される構成である。
【００１４】
プローブ９Ａ、９Ｂの直径はリード線８Ａ、８Ｂの直径よりも大きいため、テスタ本体２の右側面にプローブ９Ａ、９Ｂを収納するために、テスタ本体２の右側面における表壁２Ａと裏壁２Ｂの周縁に対する中間周囲壁２Ｃの段差１２を大きくして、プローブ９Ａ、９Ｂが表壁２Ａと裏壁２Ｂの周縁より外側に出ない状態で収納できるようにしている。そして、テスタ本体２の左側面、上側面、及び下側面の段差１２は、テスタ本体２の右側面の段差１２よりも小さく、リード線８Ａ、８Ｂが表壁２Ａと裏壁２Ｂの周縁より外側に出ない状態で収納できるようにしている。
【００１５】
このようにして、図２に示すように、テスタ本体２の下側面の中間周囲壁２Ｃから引き出されたリード線８Ａ、８Ｂを、テスタ本体２の左側面、上側面、及び右側面から下側面を巡って一周するように巻きつけた後、更に、左側面から上側面に沿って巻きつけ、プローブ９Ａ、９Ｂをテスタ本体２の右側面に沿った配置状態に収納する。このプローブ９Ａ、９Ｂの収納は、表壁２Ａと裏壁２Ｂの周縁部に形成した切り欠き１０Ａ、１０Ｂに、プローブ９Ａ、９Ｂのそれぞれの鍔部１１Ａ、１１Ｂを嵌合係止させることによって、テスタ本体２の右側面に沿ってプローブ９Ａ、９Ｂが保持される。
【００１６】
裏壁２Ｂの右側周縁部には弧状の切り欠き１３を形成し、テスタ本体２の右側面に収納されたプローブ９Ａ、９Ｂに、テスタ本体２の裏側から指が掛かるようにして、プローブ９Ａ、９Ｂの取り外しを容易にしている。
【００１７】
テスタ本体２の裏壁２Ｂの内側面には、上下位置の中間周囲壁２Ｃの内側に沿って、テスタ本体２内の上下位置に左右に長く配置されるように、磁石１４を収納している。この磁石１４は、裏壁２Ｂを通過する磁力によって、テスタ本体２を磁性体の他物に吸着保持する吸着力を持つ磁石であり、上部又は下部の磁石１４一つの吸着力によって、その作用が達成できるものである。このため、裏壁２Ｂは、非磁性材で構成され、磁石１４は、裏壁２Ｂの内側に接着又はその他の手段にて取り付けられる。
【００１８】
テスタ本体２は、表壁（又は表板）２Ａと裏壁（又は裏板）２Ｂと中間周囲壁２Ｃとを合成樹脂や金属の非磁性材で構成することもでき、また、表壁（又は表板）２Ａと中間周囲壁２Ｃとを磁性材で構成し、裏壁（又は裏板）２Ｂを合成樹脂や金属の非磁性材で構成することもできる。
【００１９】
このような構成によって、裏板２Ｂを通過する磁石１４の磁力によって、テスタ本体２を磁性体の他物に吸着保持することができるため、テスタ本体２を安定に設置して測定するような場所がない場合でも、付近の磁性体の部分へテスタ本体２を磁石１４によって吸着させれば、両方の手でもってテストリード７を操作できるため、容易に測定ができることとなる。
【００２０】
また、磁石１４はテスタ本体２の裏壁２Ｂの外面に存在しないため、テスタ１の使用中や保管中等において、磁石１４の磁力によって吸着される鉄粉等は、磁石１４に付着せず裏壁２Ｂの外面に付着するため、裏壁２Ｂの外面を布などによって拭き取ることによって鉄粉等を拭き取り除去できる。このため、磁石１４に鉄粉等が付着した場合に比して、鉄粉等の拭き取りによる除去がし易くなり、掃除が容易となる。裏壁２Ｂの外面が略平坦面であればなお好ましい。
【産業上の利用可能性】
【００２１】
本発明は、上記実施形態に限定されず、本発明の技術的範囲を逸脱しない限り、種々の変更が考えられ、それに係る種々の実施形態を包含するものである。
【図面の簡単な説明】
【００２２】
【図１】本発明に係るテスタの正面図である。（実施例１）
【図２】本発明に係るテスタの裏面図である。（実施例１）
【図３】本発明に係るテスタの右側面図である。（実施例１）
【図４】本発明に係るテストリードを引き出した状態のテスタの下側から見た斜視図である。（実施例１）
【符号の説明】
【００２３】
１・・・・テスタ
２・・・・テスタ本体
２Ａ・・・テスタ本体の表壁（表板）
２・・・・テスタ本体の裏壁（裏板）
２・・・・テスタ本体の周囲壁
３・・・・スイッチ操作部
４・・・・表示部
５・・・・電気回路部
６・・・・箱体
７・・・・テストリード
８Ａ、８Ｂ・・・・リード線
９Ａ、９Ｂ・・・・プローブ
１０Ａ、１０Ｂ・・切り欠き
１１Ａ、１１Ｂ・・鍔部
１２・・・段差
１３・・・切り欠き
１４・・・磁石
【図１】
2008064611.tif 000003
【図２】
2008064611.tif 000004
【図３】
2008064611.tif 000005
【図４】
2008064611.tif 000006